(57)【要約】【課題】１つの動作で、液垂れを防止すると同時にノズルの吐出口を容器の口から引き出すことができる液体充填ノズルを提供する。【解決手段】液体充填ノズルを、内部に液体を通す内筒１と、この内筒１にスライド自在に嵌めた外筒２と、この外筒２を昇降させる昇降機構３と、内筒１の出口に配置して外筒２との間に液体の流路を形成する弁体４とを備えるものとなし、昇降機構３で外筒２を上昇させて外筒２の内周面に設けた弁座２ａを弁体４に密着させて液体の流路を閉鎖するようにする。【選択図】図１
2006076630.tif 000002
【特許請求の範囲】
【請求項１】
内部に液体を通す内筒と、この内筒の下方を向いた出口側の外周にスライド自在に嵌めた外筒と、この外筒を昇降させる昇降機構と、前記内筒の出口に配置して前記外筒との間に液体の流路を形成する弁体とを備え、前記昇降機構で前記外筒を上昇させて前記外筒の内周面に設けた弁座を前記弁体に密着させて前記液体の流路を閉鎖することを特徴とする液体充填ノズル。
【請求項２】
前記弁座を、出口側が細いテーパ状としたことを特徴とする請求項１に記載の液体充填ノズル。
【請求項３】
前記外筒の内周面と前記内筒の外周面との間を封止するシール部材を設けたことを特徴とする請求項１または２に記載の液体充填ノズル。
【請求項４】
前記内筒に取り付けた支持台と、この支持台に揺動自在に支持されるレバーとを設け、このレバーの一端に取っ手を設け、他端を前記外筒に連結して前記昇降機構を構成した請求項１から３のいずれかに記載の液体充填ノズル。
【発明の詳細な説明】
【技術分野】
【０００１】
この発明は、ドラム缶等の容器に液体を注入する液体充填ノズルに関する。
【背景技術】
【０００２】
一般的にドラム缶などの容器に液体を充填する場合、容器の口に液体充填ノズルをセットし、このノズルの吐出口から液体を注入して所定量の液体を容器に充填した後、容器の口からノズルを引き出す。このとき、容器の口から外に出たノズルに内部液体が残留し、その液体が下に垂れて容器の上面を汚す液垂れの問題がある。
【０００３】
この問題を解決するために、バルブ機能を設けたノズルが提案されている（特許文献１）。このノズルは、外筒の内部に設けた昇降自在の弁棒と、この弁棒の下端に取り付けた弁座とからなり、弁棒の上昇により外筒の下端に弁座を当接させて、外筒下端の吐出口を閉鎖するものである。
【０００４】
しかし、この従来のノズルは、容器の口からノズルを引き出す動作が煩雑である。すなわち、このノズルは、容器に液体を注入した後に、ノズルを容器の口から引き出す動作と、弁座を外筒の下端に当接させて液垂れを防止する動作とを別々に行なう必要がある。しかも、ノズルを容器の口から引き出すためには、ノズル全体を上昇させるか、または容器を下降させる必要があり、そのための機構を別に設ける必要があった。
【０００５】
【特許文献１】特開平１０−１７５６１６号公報
【発明の開示】
【発明が解決しようとする課題】
【０００６】
この発明が解決しようとする課題は、１つの動作で、液垂れを防止すると同時にノズルの吐出口を容器の口から引き出すことができる液体充填ノズルを提供することである。
【課題を解決するための手段】
【０００７】
上記の課題を解決するため、液体充填ノズルを、内部に液体を通す内筒と、この内筒の下方を向いた出口側の外周にスライド自在に嵌めた外筒と、この外筒を昇降させる昇降機構と、前記内筒の出口に配置して前記外筒との間に液体の流路を形成する弁体とを備えるものとなし、前記昇降機構で前記外筒を上昇させて前記外筒の内周面に設けた弁座を前記弁体に密着させて前記液体の流路を閉鎖するようにした。
【０００８】
この液体充填ノズルは、以下の構成を加えるとより好ましいものとなる。
１）前記弁座を、出口側が細いテーパ状とする。テーパ状とすれば、外筒を上昇させたときに弁座が弁体により密着しやすいので、液垂れ防止の効果が高くなる。
２）前記外筒の内周面と前記内筒の外周面との間を封止するシール部材を設ける。これにより、外筒と内筒との隙間から液体が漏れ出しにくくなり、漏れ出しによる容器上面の汚れを確実に防止できる。
３）前記内筒に取り付けた支持台と、この支持台に揺動自在に支持されるレバーとを設け、このレバーの一端に取っ手を設け、他端を前記外筒に連結して前記昇降機構を構成する。この構成の昇降機構によれば、外筒を昇降させる動作が簡単である。
【発明の効果】
【０００９】
外筒を上昇させたときに外筒の弁座が弁体に密着して液体の流路を閉鎖するので、１つの動作で液体の流路を閉鎖して液垂れを防止すると同時にノズルの吐出口を容器の口から引き出すことができる。しかも、外筒を上昇させるだけで容器の口からノズルを引き出すことができ、ノズル全体を上昇させる必要がない。
【発明を実施するための最良の形態】
【００１０】
図１から３に、この発明の液体充填ノズルの実施形態を示す。このノズルは、内部に液体を通す内筒１と、内筒１にスライド自在に嵌めた外筒２と、外筒２を昇降させる昇降機構３と、上昇した外筒２の弁座に密着して液体の流路を閉鎖する弁体４とからなる。
【００１１】
内筒１は、その内部の空洞を液体が流れる。内筒１の出口には弁体取付板１ａが取り付けられ、この弁体取付板１ａの中央のねじ孔１ｂに弁体４が取り付けられている。ねじ孔１ｂの周囲に複数の貫通孔１ｃが形成され、この貫通孔１ｃで液体の流路を確保している。この内筒１は、出口が下方を向いた状態で液体充填機Ｔに取り付けられる。
【００１２】
外筒２は、内筒１の出口側の外周にスライド自在に嵌められており、昇降機構３により昇降するようになっている。内筒１の出口から出た液体は、この外筒２と弁体４との間を通過し、外筒２の出口から容器へ吐出される。昇降機構３により外筒２を上昇させると、外筒２の内周面に設けた弁座２ａが内筒出口の弁体４に密着して、液体の流路を閉鎖する。図では、弁座２ａは出口側が細いテーパ状であり、外筒２の先端部に、外筒２と一体に形成されている。
【００１３】
昇降機構３は、内筒１に固定された支持台３ａと、支持台３ａの支軸３ｃに軸支されたレバー３ｂとからなる。レバー３ｂの一端には取っ手３ｄが設けられ、この取っ手３ｄを掴んでレバー３ｂを揺動させることができる。他端にはレバー長手方向に延びる溝３ｅが形成されており、この溝３ｅに、外筒２の外周に取り付けられたピン２ｂがスライド自在にはめ込まれている。よって、レバー３ｂを揺動させると外筒２が昇降する。
【００１４】
弁体４は、下方に向かって次第に太くなるテーパ状に形成されており、この弁体４と外筒２の内周面との間を円滑に液体が流れるようになっている。また、外筒２の内径部分２ｃを内筒１とのスライド部分２ｄよりも広くなるように形成して、外筒２と弁体４との間の液体の流路を広くし、液体の流れをより円滑にしている。
【００１５】
また、内筒１の外周面と外筒２の内周面との間にシール部材５を設けて、内筒１と外筒２との隙間から液体が漏れ出さないようにしている。シール部材５は、Ｏリング等のスクイーズパッキンを用いると構造が簡単になり好ましい。
【００１６】
次に、この液体充填ノズルの使用例を説明する。
【００１７】
まず、図２に示すように外筒２を上昇させた状態で、外筒２の真下に容器Ｄの口がくるように容器Ｄを配置する。容器Ｄは、口が上面にあるドラム缶などの容器である。上昇した外筒の弁座２ａは弁体４に密着し、液体の流路を閉鎖している。外筒２の上昇は、昇降機構の取っ手３ｄを引き下げて行なう。
【００１８】
つぎに、外筒２を下降させて、外筒２を容器Ｄの口に入れる。このとき、外筒２に形成された弁座２ａは弁体４から離れる。外筒２の下降は、昇降機構の取っ手３ｄを引き上げて行なう。
【００１９】
その状態で、液体充填機ＴのバルブＢを開放して内筒１に液体を供給する。液体は、内筒１の内部を流れて、外筒２の内周面と弁体４との間を通り、容器Ｄに注入される。このとき、内筒１と外筒２との間のシール部材５が、外筒２と内筒１との隙間から液体が漏れ出さないようにし、漏れ出しによる容器Ｄの汚れを防止している。
【００２０】
所定量の液体が容器Ｄに充填されれば、液体充填機ＴのバルブＢを閉鎖して、内筒１への液体の供給を停止する。その後、外筒２を上昇させて容器Ｄの口から引き出す。このとき、外筒の弁座２ａが弁体４に密着し、ノズル内に残留した液体が容器に垂れるのを防止する。
【００２１】
このように、この液体充填ノズルは、外筒２を上昇させるだけで、ノズルの吐出口を容器Ｄの口から引き出すと同時にノズルの液体の流路を閉鎖して液垂れを防止する。また、弁座２ａがテーパ状なので、弁座２ａを弁体４に軸方向に押し付けたときに密着性が高く、液垂れ防止の効果が高い。さらに、弁座２ａが外筒２の先端に位置しているので、ノズルの内部の残留した液体を全て受け止める。しかも、外筒２のみを上昇させれば容器Ｄの口からノズルを引き出すことができ、ノズル全体を上昇させる必要がない。
【００２２】
内筒１は、Ｌ状に曲がった形状でもよく、出口を下方に向けて取り付けるものであれば他の形状でもよい。
【００２３】
弁体取付板１ａを内筒１の中央または入口に取り付けて、この弁体取付板１ａから軸心に沿って内筒１の出口まで延びる棒を介して弁体４を取り付けてもよく、弁体４が内筒１の出口にあればよい。
【００２４】
昇降機構３は、エアシリンダやモータを用いて外筒２を昇降させる機構でもよく、外筒２を昇降できる機構であればよい。
【図面の簡単な説明】
【００２５】
【図１】この発明の実施形態の液体充填ノズルを下降させた状態を示す図
【図２】同上の液体充填ノズルを上昇させた状態を示す図
【図３】同上の液体充填ノズルの軸直交断面図
【符号の説明】
【００２６】
１    内筒
２    外筒
２ａ  弁座
３    昇降機構
４    弁体
【図１】
2006076630.tif 000003
【図２】
2006076630.tif 000004
【図３】
2006076630.tif 000005